(57)【特許請求の範囲】
【請求項１】
露光ランプおよびミラーを搭載する第１走行体と二枚のミラーを搭載する第２走行体とを副走査方向に沿って２：１の速度比で往復動させることにより原稿画像を露光走査するようにした画像読取装置において、
前記露光ランプに給電するためのハーネスと、
一端が前記ハーネスに接続され他端が電源に接続されるフレキシブルケーブルと、
前記第１走行体に設けられて前記ハーネスと前記第２走行体および前記第２走行体に搭載されたミラーとの接触を防止する接触防止部材と、
前記ハーネスの先端に設けられた第１のコネクタと、
前記フレキシブルケーブルの終端部に設けられて前記第１のコネクタが挿抜自在に嵌合される第２のコネクタと、
を具備し、
前記第２のコネクタに対して、前記第１のコネクタを前記第２のコネクタを介して前記終端部と反対側から挿抜させるようにしたことを特徴とする画像読取装置。
【請求項２】
前記第２走行体に設けられて前記フレキシブルケーブルを前記第２走行体の復動側に案内するケーブルガイド部材を具備し、
前記接触防止部材は、前記ハーネスと前記ケーブルガイド部材との接触を防止することを特徴とする請求項１記載の画像読取装置。
【請求項３】
前記ハーネスと前記フレキシブルケーブルとは、前記フレキシブルケーブルに接着された板状の補強部材を介して接続されており、
前記接触防止部材は、前記補強部材と一体的に設けられた板状部材であることを特徴とする請求項１または２記載の画像読取装置。
【請求項４】
前記ハーネスは、少なくとも一部が前記接触防止部材に固定されていることを特徴とする請求項１〜３のいずれか一項に記載の画像読取装置。
【請求項５】
前記接触防止部材の前記フレキシブルケーブルと反対側に設けられて、前記ハーネスを拘束する拘束部材を具備することを特徴とする請求項４記載の画像読取装置。
【請求項６】
請求項１〜５のいずれか一項に記載の画像読取装置と、前記画像読取装置で読み取った原稿画像を用紙に形成する画像形成装置と、
を備える複写機。
【発明の詳細な説明】
【０００１】
【発明の属する技術分野】
本発明は、画像読取装置および複写機に関する。
【０００２】
【従来の技術】
従来、露光ランプとミラーとを搭載する第１走行体と二枚のミラーを搭載する第２走行体とを、ステッピングモータの駆動により副走査方向に沿って２：１の速度比で走行させることで、コンタクトガラス上に載置された原稿画像を露光走査するようにした画像読取装置がある。
【０００３】
一般的に、第１および第２走行体をステッピングモータの駆動により走行させるようにした画像読取装置では、構造上の理由からステッピングモータの駆動速度を徐々に変化させる制御が行われている。また、第１および第２走行体をステッピングモータの駆動により走行させるようにした画像読取装置では、制御の容易さや読取画像の品質等の理由から、ステッピングモータの駆動速度が一定である範囲内で原稿画像の読み取りを行うようにしているものがある。
【０００４】
このような画像読取装置では、目的とする原稿画像の副走査方向の寸法と第１および第２走行体の助走および減速に要する寸法との合計寸法が、副走査方向の寸法として最低限必要である。すなわち、画像読取装置の副走査方向の寸法は、理論上、この合計寸法と同等まで小型化することが可能である。
【０００５】
また、装置の小型化を図るために、例えば、第１走行体の走行位置と第２走行体の走行位置とを近接させたり、第１走行体と第２走行体とをホームポジションにおいて重ね合わせるように位置付けたりして、第１走行体と第２走行体とを近接させて配置するようにした画像読取装置がある。
【０００６】
ところで、露光ランプには、露光ランプに給電するためのランプハーネスが設けられている。このランプハーネスは、一端が電源に接続されたフレキシブルケーブルの他端に接続されている。画像読取装置では、組み立てや取り回しの容易性から、このフレキシブルケーブルを第２走行体の復動側に取り回すようにしたものがある。
【０００７】
ここで、フレキシブルケーブルを第２走行体の復動側に取り回す場合、画像読取装置の小型化を図るためには、フレキシブルケーブルの位置を極力第２走行体に近付けることが望ましい。しかし、フレキシブルケーブルを直接第２走行体に近付けた場合、フレキシブルケーブルが第２走行体に搭載されたミラー等に接触する。フレキシブルケーブルが第２走行体に搭載されたミラー等に接触した状態で、第１および第２走行体の往復動を繰り返すと、フレキシブルケーブルとミラーとが擦れて、この摩擦によってフレキシブルケーブルが損傷してしまうことが懸念される。
【０００８】
このため、フレキシブルケーブルを案内するためのガイド面がミラーとフレキシブルケーブルとの間に位置付けられるように、第２走行体に取り付けられたケーブルガイド部材を備える画像読取装置がある。これによって、フレキシブルケーブルとミラーとが擦れることによるフレキシブルケーブルの損傷を防止することができる。ケーブルガイド部材には、ガイド面の両側方からフレキシブルケーブル側へ向けて立ち上げられたガイドリブが設けられている。ガイドリブによって、フレキシブルケーブルをガイド面上に位置付けて、フレキシブルケーブルのガイド面に対する位置ずれを防止することができる。
【０００９】
【発明が解決しようとする課題】
ところで、ランプハーネスは、組み立てのばらつき等によって、第２走行体の方へ変形した状態でフレキシブルケーブルと接続されていることがある。
【００１０】
上述したように、画像読取装置の小型化を図るために、第１走行体と第２走行体とを近接させて配置するようにした画像読取装置では、ランプハーネスが第２走行体の方へ変形した状態で第１および第２走行体を往復動させると、第２走行体あるいは第２走行体に搭載されたミラーにランプハーネスが接触しやすくなる。第１走行体と第２走行体とでは往復動に速度差があるため、第１および第２走行体の往復動を繰り返すと、第２走行体あるいは第２走行体に搭載されたミラーによってランプハーネスが擦られて、ランプハーネスが疲労破断してしまうことがある。
【００１１】
また、上述したように、ケーブルガイド部材を備える画像読取装置では、ガイドリブがガイド面の両側方からフレキシブルケーブル側へ向けて立ち上げられているため、画像読取装置の小型化を図るために第１走行体と第２走行体とを近接させて配置するようにした場合には、第２走行体の方へ変形した状態のランプハーネスとガイドリブとが接触しやすくなる。ハーネスとガイドリブとが接触するような位置関係で第１および第２走行体の往復動を繰り返すと、ランプハーネスが疲労破断してしまうことがある。
【００１２】
ランプハーネスが疲労破断すると、損傷したランプハーネスとフレキシブルケーブルとの電圧差のある異極間リークが発生してしまう。
【００１３】
この対策として、画像読取装置の組み立てに際して、個々のランプハーネスの曲がり癖等を考慮して、全てのランプハーネスが規定された位置に位置付けられるように組み立てを行うことが考えられる。しかし、個々のランプハーネスの曲がり癖を考慮して組み立てることは作業に時間を要して、組み立ての生産性が低下するため、量産に適していない。
【００１４】
本発明は、第１走行体と第２走行体とを近接させて配置させることによる画像読取装置の小型化を図るとともに、組み立てのばらつきに依存せずに、ハーネスの損傷を防止することができる画像読取装置および複写機を得ることを目的とする。
【００１５】
【課題を解決するための手段】
請求項１記載の発明の画像読取装置は、露光ランプおよびミラーを搭載する第１走行体と二枚のミラーを搭載する第２走行体とを副走査方向に沿って２：１の速度比で往復動させることにより原稿画像を露光走査するようにした画像読取装置において、前記露光ランプに給電するためのハーネスと、一端が前記ハーネスに接続され他端が電源に接続されるフレキシブルケーブルと、前記第１走行体に設けられて前記ハーネスと前記第２走行体および前記第２走行体に搭載されたミラーとの接触を防止する接触防止部材と、を具備する。
さらに、この画像読取装置において、前記ハーネスの先端に設けられた第１のコネクタと、前記フレキシブルケーブルの終端部に設けられて前記第１のコネクタが挿抜自在に嵌合される第２のコネクタと、を具備し、前記第２のコネクタに対して、前記第１のコネクタを前記第２のコネクタを介して前記終端部と反対側から挿抜させるようにした。
【００１６】
したがって、接触防止部材によって、ハーネスと第２走行体および第２走行体に搭載されたミラーとの接触が防止される。これによって、例えば、画像読取装置の小型化のために第１走行体と第２走行体とを近接させて配置した場合にも、第１および第２走行体の往復動の速度差によって、ハーネスが第２走行体および第２走行体に搭載されたミラーに擦れて損傷することを防止することが可能になる。また、接触防止部材は、第１走行体に設けられているため、原稿画像の露光走査に際してはハーネスとともに変位する。これによって、ハーネスと接触防止部材とが擦れることを防止することが可能になる。
また、第１のコネクタと第２のコネクタとが嵌合する位置に対して、ハーネスとフレキシブルケーブルとが同じ方向に引き出される。これによって、フレキシブルケーブルの終端部を露光ランプに近付けて、ハーネスとフレキシブルケーブルとを第１および第２のコネクタにより接続した場合にも、フレキシブルケーブルの取り回しをより露光ランプに近い位置から始めることが可能になる。
【００１７】
請求項２記載の発明は、請求項１記載の画像読取装置において、前記第２走行体に設けられて前記フレキシブルケーブルを前記第２走行体の復動側に案内するケーブルガイド部材を具備し、前記接触防止部材は、前記ハーネスと前記ケーブルガイド部材との接触を防止する。
【００１８】
したがって、接触防止部材によって、ハーネスとケーブルガイド部材との接触が防止される。これによって、フレキシブルケーブルを第２走行体に近付けて取り回すために、第２走行体にケーブルガイド部材を設けた場合にも、第１および第２走行体の往復動の速度差によって、ハーネスがケーブルガイド部材に擦れて損傷することを防止することが可能になる。
【００１９】
請求項３記載の発明は、請求項１または２記載の画像読取装置において、前記ハーネスと前記フレキシブルケーブルとは、前記フレキシブルケーブルに接着された板状の補強部材を介して接続されており、前記接触防止部材は、前記補強部材と一体的に設けられた板状部材である。
【００２０】
ここで、導線同士のハンダ付けに際しては、例えば、板状の補強板を用いて、接続する箇所およびその周囲を平坦化することがある。
【００２１】
したがって、ハーネスとフレキシブルケーブルとをハンダ付けによって接続する場合に、接続部分およびその周囲を平坦化するために必要となる補強板に、板状部材である接触防止部材を一体的に設けることで、部品点数の削減を図るとともに組み立て工数の削減を図ることができる。
【００２４】
請求項４記載の発明は、請求項１、２または３記載の画像読取装置において、前記ハーネスは、少なくとも一部が前記接触防止部材に固定されている。
【００２５】
したがって、ハーネスは、接触防止部材の周囲に位置付けられる。これによって、ハーネスが接触防止部材から離間して、周囲の部材に擦れて損傷することを防止することが可能になる。
【００２６】
請求項５記載の発明は、請求項４記載の画像読取装置において、前記接触防止部材の前記フレキシブルケーブルと反対側に設けられて、前記ハーネスを拘束する拘束部材を具備する。
【００２７】
したがって、ハーネスは、拘束部材によって接触防止部材に拘束されて、接触防止部材を介してフレキシブルケーブルと反対側に位置付けられる。これによって、ハーネスとフレキシブルケーブルとの接触を確実に防止することが可能になる。
【００２８】
請求項６記載の発明の複写機は、請求項１ないし５のいずれか一に記載の画像読取装置と、前記画像読取装置で読み取った原稿画像を用紙に形成する画像形成装置と、を備える。
【００２９】
したがって、請求項１ないし５のいずれか一に記載の発明の画像読取装置と同様の作用を有する複写機を得ることができる。
【００３０】
【発明の実施の形態】
本発明の第１の実施の形態について図１ないし図５を参照して説明する。本実施の形態は、画像読取装置としてフラットベットタイプのイメージスキャナへの適用例を示す。
【００３１】
図１は、本発明の第１の実施の形態のイメージスキャナを概略的に示す縦断側面図である。イメージスキャナ１のスキャナハウジング２の上面には、原稿が載置されるコンタクトガラス２ａが設けられている。
【００３２】
スキャナハウジング２内には、露光ランプ３、ミラー４を搭載する第１走行体５、二枚のミラー６，７を搭載する第２走行体８、レンズ９、受光センサ１０によって構成される露光光学系１１が設けられている。露光ランプ３、ミラー４，６，７は、いずれも主走査方向を長手方向として配設されている。受光センサ１０は、センサボード１２に搭載されている。
【００３３】
第１走行体５には、２本の導電性ケーブルと２本の導電性ケーブルの外周を被覆する絶縁膜とによって形成された長尺形状のフレキシブルケーブルとしてのフレキシブルプリント配線基板(以降、ＦＰＣという)１３の一端が接続されている。このＦＰＣ１３の第１走行体５側の端部(終端部)には、コネクタ部１４を介して、露光ランプ３に給電するためのハーネスとしてのランプハーネス１５が接続されている。
【００３４】
コネクタ部１４は、第１走行体５に設けられたコネクタ保持部材１６によって保持されている。このコネクタ保持部材１６には、弾性的に変形する爪１６ａが一体的に形成されている。コネクタ保持部材１６は、爪１６ａを第１走行体５に取り付けられた支持部材１７に形成された孔１７ａ(図４参照)に係止させることによって支持されている。
【００３５】
ＦＰＣ１３は、途中、第２走行体８の復動側(図１中、第２走行体８の左側)を取り回されて、コネクタ部１４と反対側となる他端がスキャナハウジング２の底面２ｂに設けられた電源としてのインバータ１８に接続されている。
【００３６】
第２走行体８には、ＦＰＣ１３が架け渡される部分に、ケーブルガイド部材としてのＦＰＣガイド部材１９が設けられている。ＦＰＣガイド部材１９を設けることにより、ＦＰＣ１３を所望する経路に案内することができる。ＦＰＣガイド部材１９は、ミラー６，７を覆うように湾曲するガイド面１９ａと、このガイド面１９ａの主走査方向の両端部に設けられてガイド面１９ａからＦＰＣ１３側へ向けて立ち上げられたガイドリブ１９ｂとを備えている(図２参照)。これによって、ガイド面１９ａに対するＦＰＣ１３の主走査方向への位置ずれを防止することができる。
【００３７】
ここで、図２は第１走行体５の一部を拡大して示す斜視図、図３はその分解斜視図、図４はその一部を示す縦断側面図である。露光ランプ３は、第１走行体５に設けられた一対のランプ保持部材２０によって両端を保持されている。一方のランプ保持部材２０には、露光ランプ３のランプハーネス１５を案内するために切り欠かれた切り欠き部２１が形成されている。切り欠き部２１から案内されるランプハーネス１５の端部には、第１のコネクタとしての凹状コネクタ２２が設けられている。
【００３８】
支持部材１７を介して第１走行体５に取り付けられたコネクタ保持部材１６には、ランプハーネス１５の凹状コネクタ２２が嵌め込まれる第２のコネクタとしての凸状コネクタ２３が設けられている。この凸状コネクタ２３には、上述のＦＰＣ１３が、ハンダ付けによって接続されている。
【００３９】
凹状コネクタ２２は、凸状コネクタ２３に対して、凸状コネクタ２３の復動側から挿抜することが可能な構成となっている。これにより、凹状コネクタ２２から引き出されるランプハーネス１５と、凸状コネクタ２３から引き出されるＦＰＣ１３とが、コネクタ部１４より復動側となる同一方向に引き出される。ランプハーネス１５とＦＰＣ１３とをコネクタ部１４に対して同じ方向に引き出すことにより、コネクタ部１４の往動側の端面を露光ランプにより近付けることができる。
【００４０】
ＦＰＣ１３の端部には、図５に示すように、接着剤２４によって接着された平板形状の補強板２５が設けられている。上述の凸状コネクタ２３は補強板２５を介して接着されている。補強板２５を設けることで、ＦＰＣ１３と凸状コネクタ２３との接着面を平らにすることができ、ＦＰＣ１３と凸状コネクタ２３とをハンダ付けによって良好に接続することができる。接着剤２４は、コネクタ２３と補強板２５とを接着するために必要最低限の範囲に設けられている。これにより、ＦＰＣ１３の屈曲が補強板２５によって必要以上に拘束されることがないため、ＦＰＣ１３をより露光ランプ３に近い位置から屈曲させることができる。
【００４１】
加えて、ＦＰＣ１３と凸状コネクタ２３とをハンダ付けした接続部分には、接続部分からの漏電を防止するために、例えば、ホットメルト等によって、樹脂Ｐによるコーティングが施されている。
【００４２】
補強板２５には、補強板２５から副走査方向に沿って第２走行体８の方向へ向けて水平方向に延出する接触防止部材としての平板形状のハーネスガイド部材２６が設けられている。本実施の形態では、補強板２５とハーネスガイド部材２６とは、単一の板部材によって一体に形成されている。補強板２５とハーネスガイド部材２６とは一体に形成されているが、上述の接着剤２４は、図５(ｂ)に示すように、補強板２５の部分のみ設けられている。これにより、補強板２５とハーネスガイド部材２６とを一体に形成した場合にも、ＦＰＣ１３は補強板２５となる部分のみに接着された状態となる。
【００４３】
加えて、補強板２５の主走査方向の両端部には、取付把持片２７が設けられている。本実施の形態の補強板２５と取付把持片２７とは、単一の板部材によって一体に形成されている。以降、凸状コネクタ２３，ＦＰＣ１３，補強板２５，ハーネスガイド部材２６および取付把持片２７によって構成される部材をケーブル部材２９という。
【００４４】
上述のコネクタ保持部材１６には、取付把持片２７の厚みと同等の幅のスリット３０が形成されている。スリット３０は、コネクタ保持部材１６を形成する材料の弾性によってスリット３０を開放させる方向に弾性変形することが可能である。また、スリット３０の入口側には、スリット３０の入口側を閉塞するように突出する突起３１が設けられている。
【００４５】
凸状コネクタ２３，ＦＰＣ１３，補強板２５，ハーネスガイド部材２６および取付把持片２７によって構成される一連のケーブル部材２９の取り付けに際しては、スリット３０を弾性変形させて開放させる。開放させたスリット３０に、取付把持片２７を挿入する。取付把持片２７を挿入した後は、自身の弾性によってスリット３０が閉塞する方向に復帰する。これにより、ケーブル部材２９の取付作業の容易化を図ることができる。また、取付把持片２７は、スリット３０の入口側に設けられた突起３１によってスリット３０内でのがたつきが防止されるため、ケーブル部材２９を確実に位置固定することができる。上述のランプハーネス１５の凹状コネクタ２２は、ケーブル部材２９を第１走行体５に固定した状態で、凸状コネクタ２３に嵌合される。これによって、露光ランプ３に給電することが可能な状態となる。
【００４６】
ＦＰＣ１３の端部が接着剤２４によって補強板２５に接着されていることから、ケーブル部材２９が第１走行体５に固定されている状態では、ＦＰＣ１３は補強板２５に接着された接着部分と非接着部分との境界部分から下方へ屈曲し、第２走行体８に搭載された二枚のミラー６，７の反斜面の背面側へ案内される。
【００４７】
加えて、本実施の形態のＦＰＣガイド部材１９では、上下方向でランプハーネス１５と重複する位置となる主走査方向の外側に位置する一方のガイドリブ１９ｂの一部分が、ガイド面１９ａの上端部分と同一面状となるように一部切除されている。
【００４８】
このような構成において、原稿画像の読み取りに際しては、第１および第２走行体５，８を２：１の速度比で副走査方向に沿って移動させ、第１および第２走行体５，８が一定速度で走行中に露光ランプ３を点灯させることで、原稿画像を露光走査する。原稿画像からの反射光は、ミラー４，６，７、レンズ９を介して受光センサ１０に集光して入射される。受光センサ１０は、入射光を光電変換して画像信号として出力する。
【００４９】
ところで、従来のイメージスキャナでは、組み立てのばらつき等によって、ランプハーネス１５が、第２走行体８の方へ変形した状態でＦＰＣ１３と接続されていることがある。
【００５０】
小型化のために第１および第２走行体５，８を近接させて配置するようにしたイメージスキャナにおいて、ランプハーネス１５が第２走行体８の方へ変形した状態のまま第１および第２走行体５，８を往復動させると、ＦＰＣガイド部材１９のガイドリブ１９ｂ等にランプハーネス１５が接触することがある。
【００５１】
ここで、第１走行体５と第２走行体８とでは往復動に速度差があるため、第１および第２走行体５，８の往復動を繰り返すと、ランプハーネス１５とガイドリブ１９ｂの摩擦によって、ランプハーネス１５が疲労破断してしまうことがある。
【００５２】
ランプハーネス１５が疲労破断すると、損傷したランプハーネス１５とＦＰＣ１３との電圧差のある異極間リークが発生してしまう。
【００５３】
この対策として、イメージスキャナ１の組み立てに際して、個々のランプハーネス１５の曲がり癖等を考慮して、イメージスキャナ１毎に、全てのランプハーネス１５が規定された位置に位置付けられるように組み立てを行うことが考えられるが、実際には、個々のランプハーネス１５の曲がり癖を考慮して組み立てることは作業に時間を要するため、組み立ての生産性が低下し、量産に適さないものである。
【００５４】
本実施の形態では、ハーネスガイド部材２６によって、ランプハーネス１５とＦＰＣガイド部材１９、第２走行体８およびミラー６との接触が防止される。
【００５５】
これにより、イメージスキャナ１の小型化のために第１走行体５と第２走行体８とを近接させて配置した場合にも、第１および第２走行体５，８の往復動の速度差によって、ランプハーネス１５がＦＰＣガイド部材１９、第２走行体８およびミラー６に擦れて損傷することを防止することができる。
【００５６】
このとき、ハーネスガイド部材２６が第１走行体８に設けられているため、第１および第２走行体５，８の往復動に際しては、ハーネスガイド部材２６はランプハーネス１５とともに変位するので、ランプハーネス１５とハーネスガイド部材２６とが擦れることを防止して、ランプハーネス１５とハーネスガイド部材２６とが擦れることによるランプハーネス１５の損傷を防止することができる。
【００５７】
本実施の形態のイメージスキャナ１によれば、ＦＰＣ１３を第２走行体８に近付けて取り回すことによるイメージスキャナ１の一層の小型化を図るとともに、組み立てのばらつきに依存せずに、ランプハーネス１５の損傷によるＦＰＣ１３とランプハーネス１５との電圧差のある異極間リークを防止することができる。また、ＦＰＣ１３を第２走行体８に近付けて取り回すことによるイメージスキャナ１の一層の小型化を図るとともに、組み立てのばらつきに依存せずに、ランプハーネス１５の損傷によるＦＰＣ１３とランプハーネス１５との間での電圧差のある異極間リークを防止することができる。
【００５８】
これによって、イメージスキャナ１の組み立てに際して、組み立て作業者はランプハーネス１５の曲がり癖等に対して格別な注意を払うことなく組み立てることができるので、組み立て作業効率の向上を図ることができる。
【００５９】
加えて、本実施の形態では、ＦＰＣガイド部材１９の一方のガイドリブ１９ｂの一部分が、ガイド面１９ａの上端部分と同一面状となるように一部切除されているため、ランプハーネス１５がＦＰＣガイド部材１９に擦れて損傷することをより効果的に防止することができる。
【００６０】
なお、本実施の形態では、ランプハーネス１５とＦＰＣ１３とをコネクタ部１４における凹状コネクタ２２と凸状コネクタ２３との嵌合によって接続したが、これに限るものではなく、例えば、図６に示すように、ランプハーネス１５とＦＰＣ１３とを、ハーネスガイド部材２６を有する補強板２５を介して、直接ハンダ付けによって接続するようにしてもよい。これにより、ランプハーネス１５とＦＰＣ１３との接続部分を小型化することができる。
【００６１】
また、本実施の形態では、ランプハーネス１５の先端に凹状コネクタ２２を設け、ＦＰＣ１３の一端に凸状コネクタ２３を設けるようにしたが、これに限るものではなく、ランプハーネス１５の先端に凸状コネクタを設け、ＦＰＣ１３の一端に凹状コネクタを設けるようにしてもよい。
【００６２】
次に、本発明の参考の形態について図７ないし図８を参照して説明する。なお、第１の実施の形態と同一部分は同一符号で示し、説明も省略する。以下、同様とする。
【００６３】
図７は、本発明の参考の実施の形態の第１走行体５の一部を拡大して示す斜視図、図８はその縦断側面図である。本実施の形態のハーネスガイド部材２６の上面には、内側へ向けて屈曲する拘束部材としての一対の拘束爪５０が形成されたハーネス拘束部材５１が設けられている。ハーネスガイド部材２６上のランプハーネス１５は、ハーネス拘束部材５１によって遊び部分が一部拘束されて位置固定されている。
【００６４】
これによって、ランプハーネス１５の少なくとも一部が、ハーネスガイド部材２６に固定されて、ランプハーネス１５をハーネスガイド部材２６の周囲に位置付けることにより、ランプハーネス１５がハーネスガイド部材２６から離間して、周囲の部材に擦れて損傷することを防止することができる。
【００６５】
特に、本参考の形態では、ハーネスガイド部材２６のＦＰＣ１３と反対側に拘束部材５０を設け、この拘束部材５０によってランプハーネス１５をハーネスガイド部材２６に拘束することで、ランプハーネス１５は、ハーネスガイド部材２６を介してＦＰＣ１３と反対側に位置付けられる。
【００６６】
これによって、ランプハーネス１５とＦＰＣ１３との接触を、簡易な構成で確実に防止することができる。
【００６７】
また、第１および第２走行体５，８の往復動に際してのハーネスガイド部材２６上でのランプハーネス１５のばたつきが確実に防止され、第１および第２走行体５，８が往復動した場合にもランプハーネス１５を常にハーネスガイド部材２６上に位置付けることができる。
【００６８】
なお、本参考の形態では、拘束爪５０が形成されたハーネス拘束部材５１をハーネスガイド部材２６の上面に設けるようにしたが、これに限るものではなく、例えば、拘束爪５０をハーネスガイド部材２６の上面に直接設けるようにしてもよい。
【００６９】
また、ランプハーネス１５を接着剤等によってハーネスガイド部材２６の上面に直接固定するようにしてもよい。これにより、部品点数を削減して、組み立て作業の容易化を図ることができる。
【００７０】
次に、本発明の第３の実施の形態について図９を参照して説明する。本実施の形態は、複写機への適用例を示す。
【００７１】
図９は、本発明の第３の実施の形態の複写機を示す縦断側面図である。複写機７０は、第１の実施の形態で説明したイメージスキャナ１と、このイメージスキャナ１の下方に配設された画像形成装置としてのプリンタユニット７１とを備えている。
【００７２】
プリンタユニット７１には、用紙を積層する給紙トレイ７２から電子写真方式のプリンタ部７３、定着器７４を経由して排紙スタッカ部７５へ至る用紙搬送路７６が形成されている。プリンタ部７３のほぼ中央に設けられた感光体７７の周囲には、感光体７７の表面を一様に帯電させる帯電器７８、イメージスキャナ１で読み取った原稿画像を感光体７７上に露光する露光器７９、露光されることにより感光体７７の表面に形成された潜像にトナーを付着させることで顕像化する現像器８０、用紙搬送路７６中を搬送されてきた用紙に顕像を転写する転写器８１等により形成されている。
【００７３】
このような構成において、イメージスキャナ１で読み取った原稿画像は、プリンタ部７３により、用紙搬送路７６中をタイミング調整されて搬送されてきた用紙上に形成され、定着器７４により定着される。
【００７４】
本実施の形態の複写機７０によれば、小型化を図ったイメージスキャナ１を用いることで、使用者に対して利便性の高い複写機７０を提供することができる。
【００７５】
なお、本実施の形態では、電子写真方式のプリンタ部７３としたが、これに限るものではなく、例えば、インクジェットを有するインクジェットプリンタ等へ適用してもよい。
【００７６】
【発明の効果】
請求項１記載の発明の画像読取装置によれば、露光ランプおよびミラーを搭載する第１走行体と二枚のミラーを搭載する第２走行体とを副走査方向に沿って２：１の速度比で往復動させることにより原稿画像を露光走査するようにした画像読取装置において、前記露光ランプに給電するためのハーネスと、一端が前記ハーネスに接続され他端が電源に接続されるフレキシブルケーブルと、前記第１走行体に設けられて前記ハーネスと前記第２走行体および前記第２走行体に搭載されたミラーとの接触を防止する接触防止部材と、を具備して、接触防止部材によってハーネスと第２走行体および第２走行体に搭載されたミラーとの接触を防止することにより、例えば、画像読取装置の小型化のために第１走行体と第２走行体とを近接させて配置した場合にも、第１および第２走行体の往復動の速度差によって、ハーネスが第２走行体および第２走行体に搭載されたミラーに擦れて損傷することを防止することが可能になるので、第１走行体と第２走行体とを近接させて配置させることによる画像読取装置の小型化を図るとともに、組み立てのばらつきに依存せずに、ハーネスの損傷によるフレキシブルケーブルとハーネスとの間での電圧差のある異極間リークを防止することができる。また、接触防止部材を第１走行体に設けることで、原稿画像の露光走査に際して接触防止部材とハーネスとをともに変位させることにより、ハーネスと接触防止部材とが擦れて、ハーネスが損傷することを防止することができる。
また、前記画像読取装置において、前記ハーネスの先端に設けられた第１のコネクタと、前記フレキシブルケーブルの終端部に設けられて前記第１のコネクタが挿抜自在に嵌合される第２のコネクタと、を具備し、前記第２のコネクタに対して、前記第１のコネクタを前記第２のコネクタを介して前記終端部と反対側から挿抜させるようにして、第１のコネクタと第２のコネクタとが嵌合する位置に対して、ハーネスとフレキシブルケーブルとを同じ方向に引き出すことにより、フレキシブルケーブルの終端部を露光ランプに近付けて、ハーネスとフレキシブルケーブルとを第１および第２のコネクタにより接続した場合にも、フレキシブルケーブルの取り回しをより露光ランプに近い位置から始めることが可能になるので、上記の発明の効果に加えて、第１走行体と第２走行体とを近接させて配置させることによる画像読取装置のより一層の小型化を図ることができる。
【００７７】
請求項２記載の発明によれば、請求項１記載の画像読取装置において、前記第２走行体に設けられて前記フレキシブルケーブルを前記第２走行体の復動側に案内するケーブルガイド部材を具備し、前記接触防止部材によって前記ハーネスと前記ケーブルガイド部材との接触を防止することにより、フレキシブルケーブルを第２走行体に近付けて取り回すために、第２走行体にケーブルガイド部材を設けた場合にも、第１および第２走行体の往復動の速度差によって、ハーネスがケーブルガイド部材に擦れて損傷することを防止することが可能になるので、フレキシブルケーブルを第２走行体に近付けて取り回すことによる画像読取装置の一層の小型化を図るとともに、組み立てのばらつきに依存せずに、ハーネスの損傷によるフレキシブルケーブルとハーネスとの間での電圧差のある異極間リークを防止することができる。
【００７８】
請求項３記載の発明によれば、請求項１または２記載の画像読取装置において、前記ハーネスと前記フレキシブルケーブルとは、前記フレキシブルケーブルに接着された板状の補強部材を介して接続されており、前記接触防止部材を前記補強部材と一体的に設けられた板状部材とすることにより、ハーネスとフレキシブルケーブルとをハンダ付けによって接続する場合に、接続部分およびその周囲を平坦化するために必要となる補強板に、板状部材である接触防止部材を一体的に設けることで、部品点数の削減を図るとともに組み立て工数の削減を図ることができる。
【００８０】
請求項４記載の発明によれば、請求項１、２または３記載の画像読取装置において、前記ハーネスの少なくとも一部が前記接触防止部材に固定して、ハーネスを接触防止部材の周囲に位置付けることにより、ハーネスが接触防止部材から離間して、周囲の部材に擦れて損傷することを防止することが可能になるので、請求項１、２または３記載の発明の効果をより確実に得ることができる。
【００８１】
請求項５記載の発明によれば、請求項４記載の画像読取装置において、前記接触防止部材の前記フレキシブルケーブルと反対側に設けられた拘束部材によってハーネスを接触防止部材に拘束するとともに、接触防止部材を介してフレキシブルケーブルと反対側に位置付けることにより、ハーネスとフレキシブルケーブルとの接触を確実に防止することが可能になるので、請求４記載の発明の効果をより確実に得ることができる。
【００８２】
請求項６記載の発明の複写機によれば、請求項１ないし５のいずれか一に記載の画像読取装置と、前記画像読取装置で読み取った原稿画像を用紙に形成する画像形成装置と、を備えるので、請求項１ないし５のいずれか一に記載の発明の画像読取装置と同様の効果を有する複写機を得ることができる。
【図面の簡単な説明】
【図１】本発明の第１の実施の形態のイメージスキャナを概略的に示す縦断側面図である。
【図２】第１走行体の一部を拡大して示す斜視図である。
【図３】その分解斜視図である。
【図４】その一部を示す縦断側面図である。
【図５】  (ａ)はケーブル部材を示す上面図、(ｂ)は下面図である。
【図６】第１走行体の一部を拡大して示す別の縦断側面図である。
【図７】本発明の参考の形態のイメージスキャナの第１走行体の一部を拡大して示す斜視図である。
【図８】その縦断側面図である。
【図９】本発明の第３の実施の形態の複写機を示す縦断側面図である。
【符号の説明】
１          画像読取装置
３          露光ランプ
４，６，７  ミラー
５          第１走行体
８          第２走行体
１３          フレキシブルケーブル
１５          ランプハーネス
１８          電源
１９          ケーブルガイド部材
１９ａ        ガイド面
２２          第１のコネクタ
２３          第２のコネクタ
２５          補強部材
２６          接触防止部材
５０          拘束部材
７１          画像形成装置
７０          複写機
【図１】
0004527320.tif 000002
【図２】
0004527320.tif 000003
【図３】
0004527320.tif 000004
【図４】
0004527320.tif 000005
【図５】
0004527320.tif 000006
【図６】
0004527320.tif 000007
【図７】
0004527320.tif 000008
【図８】
0004527320.tif 000009
【図９】
0004527320.tif 000010